(57)【要約】  ＤＭ−ＲＳに基づく干渉プリコード化チャネルの正確なチャネル推定を実現可能な方法およびシステムが開示される。無線通信システムは、ユーザ機器（ＵＥ）と通信可能な複数のポイントを含むネットワークを有する。前記ネットワークは、干渉ＵＥの復調基準信号（ＲＳ）とターゲットＵＥのデータ信号との間の相対電力を調節するために、前記ターゲットＵＥおよび前記ターゲットＵＥの受信状態に関与するポイントへ前記干渉ＵＥに関連する情報を送信し、前記干渉ＵＥは、前記ターゲットＵＥにおける干渉の抑制または消去のために選択された干渉ポイントによってサービスされる。
2016509761.tif 000002
【特許請求の範囲】
【請求項１】
ユーザ機器（ＵＥ）と通信可能な複数のポイントを含むネットワークを備えた無線通信システムにおいて、前記ネットワークが、干渉ＵＥの復調基準信号（ＲＳ）とターゲットＵＥのデータ信号との間の相対電力を調節するために、前記ターゲットＵＥおよび前記ターゲットＵＥの受信状態に関与するポイントへ前記干渉ＵＥに関連する情報を送信し、前記干渉ＵＥが、前記ターゲットＵＥにおける干渉の抑制または消去のために選択された干渉ポイントによってサービスされることを特徴とする無線通信システム。
【請求項２】
前記ネットワークが、前記干渉ＵＥの復調ＲＳに対するパワーブースティングファクタを含む前記干渉ＵＥに関連する情報を前記ターゲットＵＥおよび前記干渉ポイントに通知し、前記パワーブースティングファクタが、送信ポイントによって前記ターゲットＵＥへ送信された前記データ信号と前記干渉ポイントによって送信された前記復調ＲＳとの間の受信電力差に依存して決定されることを特徴とする請求項１に記載の無線通信システム。
【請求項３】
前記ネットワークが、前記復調ＲＳのリソース位置を含む前記干渉ＵＥに関連する情報を前記ターゲットＵＥおよび前記ターゲットＵＥへの送信ポイントに通知し、該情報に基づいて、前記データ信号の送信が前記送信ポイントにおいて無効化されることを特徴とする請求項１に記載の無線通信システム。
【請求項４】
前記ターゲットＵＥが、
前記干渉ＵＥの復調ＲＳに基づいて前記データ信号の干渉チャネルを推定する干渉チャネル測定部と、
前記干渉チャネル測定部によって推定された干渉チャネルを使用する干渉抑制または消去機能を有する受信器と
を備えたことを特徴とする請求項１ないし３のいずれか１項に記載の無線通信システム。
【請求項５】
前記ネットワークが、前記ターゲットＵＥにおける干渉の抑制または消去のために前記干渉ポイントに関連する情報も前記ターゲットＵＥに通知し、前記干渉ポイントが、前記ターゲットＵＥの協調マルチポイント測定セットのための候補であるが、協調マルチポイント方式のためには選択されていないことを特徴とする請求項１ないし４のいずれか１項に記載の無線通信システム。
【請求項６】
複数のポイントを含むネットワークにおけるユーザ機器において、該ユーザ機器が、前記複数のポイントと通信可能であり、
干渉ユーザ機器に関連する情報を受信する無線送受信器であって、前記干渉ユーザ機器の復調基準信号（ＲＳ）と送信ポイントから受信されるデータ信号との間の相対電力が前記干渉ユーザ機器に関連する情報に基づいて調節される、無線送受信器と、
前記干渉ユーザ機器の復調ＲＳに基づいて前記データ信号の干渉チャネルを推定する干渉チャネル測定部と、
前記干渉チャネル測定部によって推定された干渉チャネルを使用する干渉抑制または消去機能を有する受信器と
を備えたことを特徴とするユーザ機器。
【請求項７】
前記無線送受信器が、前記干渉ユーザ機器の復調ＲＳに対するパワーブースティングファクタを含む前記干渉ユーザ機器に関連する情報を受信し、前記パワーブースティングファクタが、前記送信ポイントによって送信された前記データ信号と前記干渉ポイントによって送信された前記復調ＲＳとの間の受信電力差に依存して決定されることを特徴とする請求項６に記載のユーザ機器。
【請求項８】
前記無線送受信器が、前記復調ＲＳのリソース位置を含む前記干渉ユーザ機器に関連する情報を受信し、該情報に基づいて、前記データ信号の送信が前記送信ポイントにおいて無効化され、
前記干渉チャネル測定部が、前記干渉ＵＥの復調ＲＳに基づいて前記データ信号の干渉チャネルを推定することを特徴とする請求項６に記載のユーザ機器。
【請求項９】
前記無線送受信器が、前記干渉ポイントに関連する情報をさらに受信し、該情報に基づいて、前記受信器が、干渉の抑制または消去をしながら前記送信ポイントから前記データ信号を受信し、前記干渉ポイントが、前記ターゲットユーザ機器の協調マルチポイント測定セットのための候補であるが、協調マルチポイント方式のためには選択されていないことを特徴とする請求項６ないし８のいずれか１項に記載のユーザ機器。
【請求項１０】
ユーザ機器（ＵＥ）と通信可能な複数のポイントを含むネットワークを備えた無線通信システムにおけるスケジューラにおいて、
干渉ＵＥに関連する情報を設定する情報設定部と、
前記干渉ＵＥの復調ＲＳとターゲットＵＥのデータ信号との間の相対電力を調節するために、前記ターゲットＵＥおよび前記ターゲットＵＥの受信状態に関与するポイントへ前記干渉ＵＥに関連する情報を送信する通信部であって、前記干渉ＵＥが、前記ターゲットＵＥにおける干渉の抑制または消去のために選択された干渉ポイントによってサービスされる、通信部と
を備えたことを特徴とするスケジューラ。
【請求項１１】
前記通信部が、前記干渉ＵＥの復調ＲＳに対するパワーブースティングファクタを含む前記干渉ＵＥに関連する情報を前記ターゲットＵＥおよび前記干渉ポイントに送信し、前記パワーブースティングファクタが、送信ポイントによって前記ターゲットＵＥへ送信された前記データ信号と前記干渉ポイントによって送信された前記復調ＲＳとの間の受信電力差に依存して決定されることを特徴とする請求項１０に記載のスケジューラ。
【請求項１２】
前記通信部が、前記復調ＲＳのリソース位置を含む前記干渉ＵＥに関連する情報を前記ターゲットＵＥおよび前記ターゲットＵＥへの送信ポイントに送信し、該情報に基づいて、前記データ信号の送信が前記送信ポイントにおいて無効化されることを特徴とする請求項１０に記載のスケジューラ。
【請求項１３】
前記通信部が、前記ターゲットＵＥにおける干渉の抑制または消去のために前記干渉ポイントに関連する情報も前記ターゲットＵＥに通知し、前記干渉ポイントが、前記ターゲットＵＥの協調マルチポイント測定セットのための候補であるが、協調マルチポイント方式のためには選択されていないことを特徴とする請求項１０に記載のスケジューラ。
【請求項１４】
ユーザ機器（ＵＥ）と通信可能な複数のポイントを含むネットワークを備えた無線通信システムにおける通信制御方法において、
前記ネットワークが、ターゲットＵＥおよび前記ターゲットＵＥの受信状態に関与するポイントへ干渉ＵＥに関連する情報を送信するステップと、
前記ターゲットＵＥおよび前記ターゲットＵＥの受信状態に関与するポイントが、干渉ＵＥに関連する前記情報に基づいて、前記干渉ＵＥの復調基準信号（ＲＳ）と前記ターゲットＵＥのデータ信号との間の相対電力を調節するステップと
を備え、前記干渉ＵＥが、前記ターゲットＵＥにおける干渉の抑制または消去のために選択された干渉ポイントによってサービスされることを特徴とする通信制御方法。
【請求項１５】
前記干渉ＵＥに関連する情報が、前記ターゲットＵＥおよび前記干渉ポイントへ送信され、該情報が、前記干渉ＵＥの復調ＲＳに対するパワーブースティングファクタを含み、前記パワーブースティングファクタが、送信ポイントによって前記ターゲットＵＥへ送信された前記データ信号と前記干渉ポイントによって送信された前記復調ＲＳとの間の受信電力差に依存して決定されることを特徴とする請求項１４に記載の通信制御方法。
【請求項１６】
前記干渉ＵＥに関連する情報が、前記ターゲットＵＥおよび前記ターゲットＵＥへの送信ポイントへ送信され、該情報が、前記復調ＲＳのリソース位置を含み、該情報に基づいて、前記データ信号の送信が前記送信ポイントにおいて無効化されることを特徴とする請求項１４に記載の通信制御方法。
【請求項１７】
前記ターゲットＵＥが、
前記干渉ＵＥの復調ＲＳに基づいて前記データ信号の干渉チャネルを推定し、
推定された干渉チャネルを使用して干渉の抑制または消去を実行する
ことを特徴とする請求項１４ないし１６のいずれか１項に記載の通信制御方法。
【請求項１８】
前記ターゲットＵＥにおける干渉の抑制または消去のために前記干渉ポイントに関連する情報も前記ターゲットＵＥへ送信され、前記干渉ポイントが、前記ターゲットＵＥの協調マルチポイント測定セットのための候補であるが、協調マルチポイント方式のためには選択されていないことを特徴とする請求項１４ないし１７のいずれか１項に記載の通信制御方法。
【請求項１９】
複数のポイントを含むネットワークにおけるユーザ機器（ＵＥ）の干渉抑制または消去方法において、該ユーザ機器が、前記複数のポイントと通信可能であり、該方法が、
前記ネットワークから干渉ＵＥに関連する情報を受信するステップであって、前記干渉ＵＥの復調基準信号（ＲＳ）と送信ポイントから受信されるデータ信号との間の相対電力が前記干渉ＵＥに関連する情報に基づいて調節される、受信するステップと、
前記干渉ＵＥの復調ＲＳに基づいて前記データ信号の干渉チャネルを推定するステップと、
推定された干渉チャネルを使用して干渉の抑制または消去を実行するステップと
を備えたことを特徴とする干渉抑制または消去方法。
【請求項２０】
ユーザ機器（ＵＥ）と通信可能な複数のポイントを含むネットワークを備えた無線通信システムにおけるスケジューラのスケジューリング方法において、
干渉ＵＥに関連する情報を設定するステップと、
前記干渉ＵＥの復調ＲＳとターゲットＵＥのデータ信号との間の相対電力を調節するために、前記ターゲットＵＥおよび前記ターゲットＵＥの受信状態に関与するポイントへ前記干渉ＵＥに関連する情報を送信するステップであって、前記干渉ＵＥが、前記ターゲットＵＥにおける干渉の抑制または消去のために選択された干渉ポイントによってサービスされる、送信するステップと
を備えたことを特徴とするスケジューリング方法。
【発明の詳細な説明】
【技術分野】
【０００１】
本発明は、概して無線通信システムに関し、より詳細には、協調マルチポイント（coordinated multi-point, ＣｏＭＰ）送信システムにおいてネットワークにより設定される復調基準信号に基づくチャネル推定を改善する技術に関する。
【背景技術】
【０００２】
一般的に、セル端に近いユーザ機器（user equipment, ＵＥ）は強いセル間干渉を受ける。このようなＵＥに対して、ＣｏＭＰ送受信が、ＬＴＥ（Long Term Evolution）アドバンストのリリース１１（Ｒｅｌ．１１）において、システムスループットの損失なしにセル端スループットを改善するためのツールとして使用されている（非特許文献１のセクション４参照）。ＬＴＥ  Ｒｅｌ．１２では、図１に示したように、ヘテロジニアスネットワーク（Heterogeneous Network, ＨｅｔＮｅｔ）において小セルが高密度に存在する状況で、多数の低電力ノード（low power node, ＬＰＮ）の場合および／またはポイント間距離のさらに短い場合が考察されている。ＬＰＮの数が増大すると、ポイント間干渉が大きくなり、パフォーマンス劣化を生じる。
【０００３】
非特許文献２において、ＣＳＩ−ＲＳリソースのセットが、ＣｏＭＰリソース管理セット（CoMP resource management set, ＣＲＭＳ）として規定され、これに関してＣＳＩ−ＲＳ受信信号の測定を実施・報告することができる。ＣＲＭＳ内で、ＣｏＭＰ測定セット（CoMP measurement set, ＣＭＳ）が、ユーザ機器（ＵＥ）へのリンクに関連するチャネル状態／統計情報（channel state/statistical information, ＣＳＩ）が測定および／または報告されるようなポイントのセットとして規定されている（非特許文献１のセクション５．１．４参照）。
【０００４】
図２に例示したように、光ファイバ（バックホール）によって接続されたＭａｃｒｏ  ｅＮＢならびに低電力ノードＬＰＮ１およびＬＰＮ２が、Ｍａｃｒｏ  ｅＮＢにおける集中スケジューリングのためのＣｏＭＰ協働セットとしてグループ化されると仮定する。図１に示す場合では、ＵＥ１のＣＭＳは、そのサービングポイントＬＰ１および近隣ポイントＭａｃｒｏ  ｅＮＢを含むが、ＵＥ２のＣｏＭＰ測定セットは、そのサービングポイントＬＰ２のみを含む。
【０００５】
ＣＲＭＳおよびＣＭＳの判定の場合、受信基準信号の長期測定がＵＥによって実施され、そのサービングセルに報告される。例えば、非特許文献３のセクション５．１．１で規定された基準信号受信電力（reference signal received power, ＲＳＲＰ）が、ＣＲＭＳおよびＣＭＳの判定のために使用される。例えば、図３に示したように、サービングセルのＲＳＲＰすなわちＲＳＲＰｓｅｒｖと、近隣セルのＲＳＲＰすなわちＲＳＲＰｎｅｉｇｈとの差が所定のしきい値ＴＨＲＳＲＰよりも小さいという関係すなわちＲＳＲＰｓｅｒｖ−ＲＳＲＰｎｅｉｇｈ＜ＴＨＲＳＲＰを満たす近隣ポイントのみが、ＣＲＭＳに含まれることになる。ＬＴＥ  Ｒｅｌ．１１では、ＣＲＭＳから、ＲＳＲＰ順位リスト中の上から最大３個のポイントが、ダウンリンクＣｏＭＰに対するＣＭＳに選択される。
【０００６】
非特許文献４では、ＬＴＥ  Ｒｅｌ．１１におけるダウンリンクＣｏＭＰについてＬＴＥ  ＲＡＮ１で到達した合意のＲＲＣ関連の観点から、Ｒｅｌ．１１  ＵＥは、コンポーネントキャリアごとに１つ以上のＣＳＩプロセスを報告するように構成されることが可能である。各ＣＳＩプロセスは、チャネルパート（ＣＭＳにおける１つの非ゼロパワーＣＳＩ−ＲＳリソース）と干渉パート（１つのゼロパワーＣＳＩ−ＲＳ設定として構成可能な４個のＲＥを占有する１つの干渉測定リソース（Interference Measurement Resource, ＣＳＩ−ＩＭ））との結合によって構成される。複数のＣＳＩプロセスが設定されたＣｏＭＰ候補ＵＥの場合、ＣＭＳ内の各セルでミューティングの有無をさまざまに変えた干渉電力を考慮したＣＳＩプロセスをＵＥ側で推定する必要がある。得られたチャネル状態情報（channel state information, ＣＳＩ）、例えばプリコーディングベクトルインデックス（precoding vector index, ＰＭＩ）、ランクインデックス（rank index, ＲＩ）およびチャネル品質インデックス（channel quality index, ＣＱＩ）は、ＣＭＳ内の複数の協調ポイント間でさまざまなＣｏＭＰ方式をサポートするチャネル依存スケジューリングのために使用される。
【０００７】
非特許文献１のセクション５．１．３に記載されているように、フィードバックＣＳＩに基づいて、ジョイント送信（joint transmission, ＪＴ）、動的ポイント選択（dynamic point selection, ＤＰＳ）、および協調スケジューリング／協調ビームフォーミング（coordinated scheduling/coordinated beamforming, ＣＳ／ＣＢ）等のＣｏＭＰ方式がスケジューリング可能である。ＪＴの場合、同時データ送信のために複数の送信ポイント（transmission point, ＴＰ）が選択され、干渉は、選択されたＴＰ以外のポイントに由来する。ＤＰＳの場合、ただ１つのＴＰが動的に選択され、干渉は、そのただ１つの選択されたＴＰ以外のポイントに由来する。ＣＢ／ＣＳの場合には、サービングポイントが、データを送信する唯一のＴＰであるが、近隣セルからの強い干渉は大幅に低減される。
【０００８】
ＣｏＭＰ候補ＵＥのＣＳＩの正確な測定を実現するために、複数の非ゼロパワーＣＳＩ−ＲＳのリソースにおける送信電力がミューティングされ、ＰＤＳＣＨ上のＵＥのデータに対するレート整合がＵＥ側で強制的に実施される。さらに、ＰＤＳＣＨ（physical data shared channel）上のデータに対するＣＳＩ−ＲＳの相対電力を示すためのパワーブースティングファクタ（power boosting factor）が設定される。パワーブースティングファクタを上昇させることにより、ＣＳＩのチャネル測定をさらに改善することが可能である。
【０００９】
パフォーマンスを改善するために、送信器でＣｏＭＰを使用する代わりに、干渉抑制（interference suppression, ＩＳ）または干渉消去（interference cancellation, ＩＣ）を用いた高度な受信器が提案されている。干渉抑制（ＩＳ）は、非特許文献５で干渉抑圧合成（interference rejection combining, ＩＲＣ）を使用することにより行われ、干渉消去（ＩＣ）は、非特許文献６で干渉レプリカを生成することにより行われている。ＩＳまたはＩＣを用いた高度な受信器は、受信ＳＩＮＲをさらに改善することができる。これは、ＩＳ／ＩＣのために選択された干渉ポイントのチャネルを推定するために、復調基準信号（demodulation reference signal, ＤＭ−ＲＳ）の情報を必要とする。
【００１０】
ＤＭ−ＲＳはデータ信号と同じようにプリコード化されるので、ＤＭ−ＲＳは、プリコード化チャネルのチャネル推定のために使用される。ＣＳＩ−ＲＳとは異なり、ＤＭ−ＲＳとＰＤＳＣＨデータは通常のデータ受信の場合は同じパワーと仮定される。最高受信信号電力の送信ポイントが選択されると仮定すると、ターゲットＵＥのデータの受信電力は干渉電力よりも高い。通常のデータ受信の場合に仮定されるようにＤＭ−ＲＳとＰＤＳＣＨデータが同じパワーであることから、重大なチャネル推定エラーは生じないと考えられる。
【先行技術文献】
【非特許文献】
【００１１】
【非特許文献１】3GPP TR 36.819 v11.0.0, Coordinated multi-point operation for LTE physical layer aspects (Release 11). http://www.3gpp.org/ftp/Specs/archive/36_series/36.819/
【非特許文献２】R1-123077, LS on CSI-RSRP and CoMP Resource Management Set, (http://www.3gpp.org/ftp/tsg_ran/WG1_RL1/TSGR1_69/Docs/)
【非特許文献３】3GPP TR 36.214 v11.0.0, Physical Channels and Modulation of Evolved Universal Terrestrial Radio Access (E-UTRA); Physical layer; Measurements (Release 11). http://www.3gpp.org/ftp/Specs/archive/36_series/36.214/
【非特許文献４】R1-124669, RRC Parameters for Downlink CoMP
【非特許文献５】Ohwatari, Y., Miki, N., et al., "Performance of Advanced Receiver Employing Interference Rejection Combining to Suppress Inter-Cell Interference in LTE-Advanced Downlink", IEEE VTC-Falll, 2011.
【非特許文献６】Hui, A. L. C.; Letaief, K. B., "Successive interference cancellation for multiuser asynchronous DS/CDMA detectors in multipath fading links", IEEE Transaction on, Page 384-391, vol. 46, Issue 3, 1998.
【発明の概要】
【発明が解決しようとする課題】
【００１２】
しかし、近隣セルからの干渉を抑制し、さらに消去するためには、干渉ＵＥのＤＭ−ＲＳに基づいて干渉ポイントからのチャネルを推定する必要がある。ターゲットＵＥのデータは、割り当てられたリソースブロック内の干渉ＵＥのＤＭ−ＲＳと衝突するので、干渉ＵＥのＤＭ−ＲＳの受信電力が低くなると、干渉チャネルのチャネル推定が非常に悪くなる可能性がある。従来のシステムでは、選択された干渉ポイントから送信されたＤＳ−ＲＳに基づいて、干渉プリコード化チャネルのチャネル推定を改善する方法は存在しない。
【課題を解決するための手段】
【００１３】
本発明の目的は、ＤＭ−ＲＳに基づく干渉プリコード化チャネルの正確なチャネル推定を実現可能な方法およびシステムを提供することである。
【００１４】
本発明によれば、無線通信システムは、ユーザ機器（ＵＥ）と通信可能な複数のポイントを含むネットワークを有する。前記ネットワークは、干渉ＵＥの復調基準信号（ＲＳ）とターゲットＵＥのデータ信号との間の相対電力を調節するために、前記ターゲットＵＥおよび前記ターゲットＵＥの受信状態に関与するポイントへ前記干渉ＵＥに関連する情報を送信し、前記干渉ＵＥは、前記ターゲットＵＥにおける干渉の抑制または消去のために選択された干渉ポイントによってサービスされる。
【００１５】
本発明によれば、複数のポイントを含むネットワークにおけるユーザ機器において、該ユーザ機器は、前記複数のポイントと通信可能であり、干渉ユーザ機器（ＵＥ）に関連する情報を受信する無線送受信器であって、前記干渉ＵＥの復調基準信号（ＲＳ）と送信ポイントから受信されるデータ信号との間の相対電力が前記干渉ＵＥに関連する情報に基づいて調節される、無線送受信器と、前記干渉ＵＥの復調ＲＳに基づいて前記データ信号の干渉チャネルを推定する干渉チャネル測定部と、前記干渉チャネル測定部によって推定された干渉チャネルを使用する干渉抑制または消去機能を有する受信器と、を備える。
【００１６】
本発明によれば、ユーザ機器（ＵＥ）と通信可能な複数のポイントを含むネットワークを備えた無線通信システムにおけるスケジューラは、干渉ＵＥに関連する情報を設定する情報設定部と、前記干渉ＵＥの復調ＲＳとターゲットＵＥのデータ信号との間の相対電力を調節するために、前記ターゲットＵＥおよび前記ターゲットＵＥの受信状態に関与するポイントへ前記干渉ＵＥに関連する情報を送信する通信部とを備える。前記干渉ＵＥは、前記ターゲットＵＥにおける干渉の抑制または消去のために選択された干渉ポイントによってサービスされる。
【００１７】
本発明によれば、ユーザ機器（ＵＥ）と通信可能な複数のポイントを含むネットワークを備えた無線通信システムにおける通信制御方法は、前記ネットワークが、ターゲットＵＥおよび前記ターゲットＵＥの受信状態に関与するポイントへ干渉ＵＥに関連する情報を送信するステップと、前記ターゲットＵＥおよび前記ターゲットＵＥの受信状態に関与するポイントが、干渉ＵＥに関連する前記情報に基づいて、前記干渉ＵＥの復調基準信号（ＲＳ）と前記ターゲットＵＥのデータ信号との間の相対電力を調節するステップとを備える。前記干渉ＵＥは、前記ターゲットＵＥにおける干渉の抑制または消去のために選択された干渉ポイントによってサービスされる。
【発明の効果】
【００１８】
本発明によれば、干渉ＵＥの復調基準信号（ＲＳ）とターゲットＵＥのデータ信号との間の相対電力を調節するために、干渉ＵＥに関連する情報が、ネットワークから、ターゲットＵＥおよびターゲットＵＥの受信状態に関与するポイントへ送信される。これにより、復調ＲＳに基づく干渉プリコード化チャネルの正確なチャネル推定が行われる。
【００１９】
本発明およびその効果をさらに十分に理解するためには、以下の説明を添付図面とともに参照すべきである。図中、同じ参照符号は同じ部分を表す。
【図面の簡単な説明】
【００２０】
【図１】図１は従来の無線通信システムにおける干渉変動を例示する模式図である。
【図２】図２はＣｏＭＰ協働セットおよびＣｏＭＰ測定セットについて説明するための無線通信システムを例示する模式図である。
【図３】図３はＲＳＲＰに基づくＣｏＭＰ測定セットの判定について説明するための各セルのＲＳＲＰを例示する図である。
【図４】図４は本発明の第１の実施形態による無線通信システムを例示する模式図である。
【図５】図５Ａは送信ポイントにおいてターゲットＵＥに割り当てられるリソースを例示する図、図５Ｂは第１の実施形態による選択された干渉ポイントにおいて干渉ＵＥに割り当てられるリソースを例示する図、図５Ｃは第１の実施形態によるターゲットＵＥおよび干渉ＵＥにおけるデータ信号およびＤＭ−ＲＳの平均受信電力を例示する図である。
【図６】図６は本発明の第２の実施形態による無線通信システムを例示する模式図である。
【図７】図７Ａは送信ポイントにおいてターゲットＵＥに割り当てられるリソースを例示する図、図７Ｂは第２の実施形態による選択された干渉ポイントにおいて干渉ＵＥに割り当てられるリソースを例示する図、図７Ｃは第２の実施形態によるターゲットＵＥおよび干渉ＵＥにおけるデータ信号およびＤＭ−ＲＳの平均受信電力を例示する図である。
【図８】図８は本発明の第１または第２の実施形態による集中スケジューリング方式の無線通信システムを例示する模式図である。
【図９】図９は本発明の第１または第２の実施形態による分散スケジューリング方式の無線通信システムを例示する模式図である。
【図１０】図１０は本発明の第１または第２の実施形態による無線通信システムを例示する模式図である。
【図１１】図１１Ａは本発明の第１または第２の例示的実施形態の実施例による無線通信システムにおけるＩＳ機能付き高度受信器を例示する機能ブロック図、図１１Ｂは本発明の第１または第２の例示的実施形態の実施例による無線通信システムにおけるＩＣ機能付き高度受信器を例示する機能ブロック図である。
【図１２】図１２は本発明の第１または第２の例示的実施形態によるＵＥ受信器における動的ネットワーク支援干渉抑制／消去（ＩＳ／ＩＣ）のためのシグナリングのシーケンスを例示する図である。
【図１３】図１３Ａは図１２に示したシグナリングにおいて使用されるＰＱＬ状態のテーブルを例示する図、図１３Ｂは図１２に示したシグナリングにおいて使用されるＰＱＩのテーブルを例示する図である。
【図１４】図１４Ａは図１２に示したシグナリングにおいて使用可能なＲＢＧごとのＤＭ−ＲＳインジケータのテーブルを例示する図、図１４Ｂは図１２に示したシグナリングにおいて使用可能なＲＢＧごとのレイヤインジケータのテーブルを例示する図である。
【図１５】図１５は図１２に示したシステムのシグナリングにおいて使用されるＲＢＧごとの変調インジケータのテーブルを例示する図である。
【発明を実施するための形態】
【００２１】
本発明の実施形態および実施例について、添付図面を参照することにより説明する。本発明の原理を説明するために用いられる実施形態および実施例は単なる例示であり、いかなる意味でも本発明の範囲を限定するものと解釈されてはならない。当業者には理解されるように、本発明の原理は、任意の適当に構成されたワイヤレスネットワークにおいて実施可能である。当技術分野において、ポイントおよびセルは同じ意味としてもよい。したがって、サービングポイント、協働ポイントおよび近隣ポイントは、それぞれサービングセル、協働セルおよび近隣ポイントと解釈することが可能である。
【００２２】
本発明の例示的実施形態によれば、システムは、干渉ポイントから送信された復調基準信号（ＤＭ−ＲＳ）と、送信ポイントから送信されたデータ信号との間の相対電力を調節する。ネットワークは、干渉ポイントから送信されたＤＭ−ＲＳに関連する情報を、ターゲットＵＥおよび干渉／送信ポイントに通知する。これにより、ＤＭ−ＲＳに基づく干渉ポイントに対するチャネル推定を改善することができるので、ＩＳ／ＩＣ付き高度受信器がターゲットＵＥのデータを検出するパフォーマンスが改善されるとともに、干渉ＵＥのデータを受信するパフォーマンスが改善される。以下、本発明の第１および第２の例示的実施形態について、図４〜図７を参照しつつ説明する。
【００２３】
１．第１の例示的実施形態（ＤＭ−ＲＳに対するパワーブースティング）
第１の例示的実施形態によれば、ＤＭ−ＲＳに対するパワーブースティングファクタが干渉ポイントおよびターゲットＵＥに通知され、ターゲットＵＥにおける干渉ポイントに対するチャネル推定が改善される。
【００２４】
図４に例示したように、ネットワークはＣｏＭＰ送信システムを提供する。ネットワークは、複数のノードあるいは基地局（以下、ポイントという）およびスケジューラ１００ａを含む。スケジューラ１００ａは、集中スケジューリングの場合には１つのポイントに設けられ、分散スケジューリングの場合には複数のポイント間で分散されることが可能である。図４において、ポイント２０＿０および２０＿１は、ジョイント送信のターゲットユーザ機器（ＵＥ）３０のＣｏＭＰ測定セット（ＣＭＳ）に属し、ポイント２０＿０はターゲットＵＥ３０のサービングポイントであると仮定する。ポイント２０＿２は、干渉ＵＥ４０にサービスする干渉ポイントであり、ポイント２０＿０および２０＿１のデータ送信のための無線リソースと重複する無線リソースでデータ信号をターゲットＵＥ３０へ送信する。
【００２５】
ユーザ機器（図４におけるターゲットＵＥ３０）は、無線送受信器３１、高度受信器３２および干渉チャネル測定部３３等の機能ブロックを備える。無線送受信器３１は、ポイント２０＿０および２０＿１と通信するために使用される。高度受信器３２は、干渉チャネル測定部３３によって支援されるＩＳ／ＩＣ機能を有する。干渉チャネル測定部３３は、干渉ＵＥ４０のＤＭ−ＲＳに基づいて干渉ポイントに対するチャネル推定を測定する。
【００２６】
スケジューラ１００は、干渉ＵＥ４０に関連する情報を干渉ポイント２０＿２およびターゲットＵＥ３０に通知する。この情報は、干渉ＵＥ４０のＤＭ−ＲＳに対するパワーブースティングファクタを示す。換言すれば、第１の例示的実施形態によれば、ＤＭ−ＲＳに対するパワーブースティングファクタＰＢＦを設定するための新たなＤＭ−ＲＳ設定機能がスケジューラ１００に設けられる。ターゲットＵＥは、通知された干渉ＵＥ４０のＤＭ−ＲＳ情報に基づいて、ＩＳ／ＩＣのための選択された干渉ポイント（例えば干渉ポイント２０＿２）の干渉チャネルを推定することができる。この情報は、設定されたＤＭ−ＲＳのスクランブリングシーケンスの初期値、ポート番号、リソース位置とともに、新たに設定されたパワーブースティングファクタを含む。このようなパワーブースティングファクタ設定は、干渉ＵＥ自身のＤＭ−ＲＳベースのチャネル推定にも必要である。
【００２７】
図５を参照して、ターゲットＵＥ３０が送信ポイント２０＿０（サービングポイント）および干渉ポイント２０＿２を有する場合にパワーブースティングファクタをどのように設定するかについて説明する。図５Ａおよび図５Ｂに示したように、干渉ポイント２０＿２におけるＤＭ−ＲＳ２０＿２１は、同じリソースブロックでターゲットＵＥのデータ２０＿０２と衝突する。パワーブースティングがなければ、データの送信電力はＤＭ−ＲＳの送信電力と同じである。したがって、図５Ｃに示したように、干渉ポイント２０＿２における干渉ＵＥのＤＭ−ＲＳは、ターゲットＵＥ３０においては、送信ポイント２０＿０におけるデータよりも低い平均受信電力で受信されるため、ＩＳ／ＩＣを用いたターゲットＵＥのデータ検出の場合に、干渉ＵＥ４０のチャネル推定が悪化する。
【００２８】
パワーブースティングファクタは、ターゲットＵＥのデータの受信平均電力（ターゲットＵＥの報告する送信ポイントのＲＳＲＰ）と、干渉ＵＥのＤＭ−ＲＳの受信平均電力（ターゲットＵＥの報告する干渉ポイントのＲＳＲＰ）との間の相対電力として定義される。パワーブースティングのない場合のＤＭ−ＲＳに対する送信電力がＰＤＳＣＨデータの送信電力と同じであると仮定すると、干渉ポイント２０＿２におけるＤＭ−ＲＳに対するパワーブースティングファクタは、送信ポイント２０＿０および干渉ポイント２０＿２のＲＳＲＰ間の差として設定することができる。これは、ＣＲＭＳおよびＣＭＳの判定にも使用される。ネットワークにより通知されるパワーブースティングファクタにより、干渉ポイント２０＿２は、パワーブーストされたＤＭ−ＲＳを生成し、それを干渉ＵＥ４０へ送信する。図５Ｃに示したように、干渉ポイント２０＿２からのＤＭ−ＲＳの受信電力は増大し、送信ポイント２０＿０からのＤＭ−ＲＳの受信電力と同程度となる。
【００２９】
ＤＭ−ＲＳパワーブースティングファクタは、ＰＤＳＣＨ上のＲＲＣシグナリングとしてターゲットＵＥ３０へ通知される必要がある。干渉ＵＥのＤＭ−ＲＳパワーブースティングファクタの知識を用いて、ターゲットＵＥ３０は、干渉チャネル測定部３３によって取得されるＤＭ−ＲＳベースのチャネルパワー測定値を使用することにより、データの干渉チャネルを正確に推定することができる。こうして、干渉ＵＥ４０のパワーブーストされたＤＭ−ＲＳに基づいてチャネル推定が改善され、高度受信器３２は、ＩＳ／ＩＣを用いたターゲットＵＥのデータ検出のために、測定されたチャネル推定を使用する。
【００３０】
干渉ＵＥ４０のデータ受信の場合も、干渉ＵＥ４０自身においてデータチャネル推定が実行される。これにより、パワーブーストされたＤＭ−ＲＳは干渉ＵＥ自身のチャネル推定にも有益であり、干渉ＵＥの受信ＳＩＮＲが改善される。
【００３１】
２．第２の例示的実施形態（ＤＭ−ＲＳリソースに関するデータレート整合）
第２の例示的実施形態によれば、ＤＭ−ＲＳに対する上記のパワーブースティングなしに、干渉ポイント２０＿２において従来のＤＭ−ＲＳ設定を使用して、ＤＭ−ＲＳのポート番号およびリソース位置を判定する。スケジューラ１００ｂは、干渉ＵＥ４０に関連する情報を送信ポイント２０＿０およびターゲットＵＥ３０に通知する。この情報は、干渉ＵＥ４０のＤＭ−ＲＳのリソース位置を示す。干渉ＵＥ４０のＤＭ−ＲＳのリソース位置に基づいて、送信ポイント２０＿０は、干渉ＵＥのＤＭ−ＲＳのリソース要素におけるターゲットＵＥ３０へのデータ送信を無効化し、ターゲットＵＥ３０は、送信ポイント２０＿０からのデータなしに、干渉ポイント２０＿２から送信されたＤＭ−ＲＳに基づいて干渉ＵＥのチャネルを測定する。これにより、干渉ポイント２０＿２に対するＤＭ−ＲＳベースのチャネル推定も改善することができる。
【００３２】
図７Ａおよび図７Ｂに示したように、ターゲットＵＥ３０の送信ポイント２０＿０におけるデータ送信は、干渉ポイント２０＿２のＤＭ−ＲＳリソース要素２０＿２１において無効化される。干渉ポイント２０＿２のＤＭ−ＲＳリソース位置２０＿２１の知識を用いて、ターゲットＵＥ３０は、通知されたＤＭ−ＲＳリソース要素に関するＰＤＳＣＨリソース要素レート整合を実施する必要がある。これは、新たなＵＥ挙動として定義される。これにより、干渉ポイント２０＿２のＤＭ−ＲＳは、ターゲットＵＥの送信ポイント２０＿０から干渉を受けなくなるため、データ送信のための無効化されたリソース要素を代償として、無干渉のＤＭ−ＲＳに基づいてチャネル推定を改善することができる。これは、ターゲットＵＥ側でＩＳ／ＩＣを用いたデータ受信に有益であるとともに、干渉ＵＥ自身のデータ受信にも有益である。
【００３３】
第１および第２の例示的実施形態による協調スケジューリングは、図８に示す集中スケジューリングシステムまたは図９に示す分散スケジューリングシステムにおいて実施可能である。換言すれば、集中スケジューリングの機能は、複数のノードに分散させることも可能である。
【００３４】
（集中スケジューリング）
図８において、簡単のため、集中スケジューリングシステムは、所定の無線ノード（Ｍａｃｒｏ  ｅＮＢ）および複数の無線ノード（Ｎ２〜Ｎ４）を含むと仮定する。ここで、Ｍａｃｒｏ  ｅＮＢは、ノードＮ２〜Ｎ４にそれぞれバックホールリンク（backhaul link, ＢＬ）を通じて接続され、ユーザ機器ＵＥ１〜ＵＥ４はそれぞれＭａｃｒｏ  ｅＮＢおよびノードＮ２〜Ｎ４によってサービスされる。Ｍａｃｒｏ  ｅＮＢおよびノードＮ２〜Ｎ４は、ＣｏＭＰ協働セットとみなされる。Ｍａｃｒｏ  ｅＮＢは集中スケジューラ１００を備える。集中スケジューラ１００は、ＣＲＭＳおよびＣＭＳの判定、基準信号（reference signal, ＲＳ）、ＰＱＬおよびＤＭ−ＲＳの設定と、ＣｏＭＰ協働セット内のすべてのＵＥに対する協調リソース割当てを実行する。集中スケジューリングシステムにおける協調スケジューリングの詳細は後述する。
【００３５】
（分散スケジューリング）
図９においても、簡単のため、分散スケジューリングシステムは、複数の無線ノード（Ｍａｃｒｏ  ｅＮＢ、ノードＮ２〜Ｎ４）を含むと仮定する。ここで、Ｍａｃｒｏ  ｅＮＢは、ノードＮ２〜Ｎ４にバックホールリンクを通じて接続され、Ｎ２〜Ｎ４もバックホールリンクを通じて互いに接続される。ユーザ機器ＵＥ１〜ＵＥ４はそれぞれＭａｃｒｏ  ｅＮＢおよびノードＮ２〜Ｎ４によってサービスされる。分散スケジューリングシステムでは、Ｍａｃｒｏ  ｅＮＢだけでなくノードＮ２〜Ｎ４のそれぞれも分散スケジューラを備える。分散スケジューラは、他の分散スケジューラと通信可能である。各分散スケジューラは、そのサービングＵＥのための協調スケジューリングを実行する。例えば、Ｍａｃｒｏ  ｅＮＢにおける分散スケジューラは、ＵＥ１のためのＣＲＭＳおよびＣＭＳの判定、ＲＳ、ＰＱＬおよびＤＭ−ＲＳの設定と、ＵＥ１のＣＭＳ内の近隣ノード（ここではＮ３）間で協調されたリソース割当てを制御する。同様に、ノードＮ２における分散スケジューラは、ＵＥ２のためのＣＲＭＳおよびＣＭＳの判定、ＲＳ、ＰＱＬおよびＤＭ−ＲＳの設定と、近隣ノード間で協調されたリソース割当てを制御する。サービングノードＮ２と、ＵＥ２のＣＭＳ内のポイントＭａｃｒｏ  ｅＮＢとの間の協調情報は、バックホールリンクを通じて交換される。バックホールリンクは、光ファイバ、ＤＳＬ、Ｘ２バックホール、またはＬＯＳやＮＬＯＳマイクロ波のようなワイヤレスリンクであることが可能である。
【００３６】
以下、集中スケジューリングの場合に、本発明の実施例について説明する。上記のように、集中スケジューリングの機能は、分散スケジューリングシステムにおいても実施可能である。
【００３７】
３．実施例
例示的実施形態の実施例は、ＣＭＳの内部または外部の干渉ポイントからの干渉を抑制／消去するために使用される。実施例によるシステムを図１０および図１１に示し、その動作を図１２に例示する。上記のようなスケジューラ１００ａまたは１００ｂが、本実施例による集中スケジューラ１００に適用可能である。
【００３８】
３．１）システム構成
図１０に例示したように、集中スケジューラ１００は、すべてのＬＰＮ（ＬＰＮ０〜ＬＰＮｎ）を制御するためにＭａｃｒｏ  ｅＮＢ１０に配置される。ＬＰＮ０〜ＬＰＮｎは、それぞれのバックホールリンクＢＬを通じてＭａｃｒｏ  ｅＮＢ１０に接続される。集中スケジューラ１００は、ＣＲＭＳ・ＣＭＳ判定部１０１、ＲＳ設定部１０２、リソース割当て部１０３、ＰＱＬ設定部１０４、ＩＳ／ＩＣ設定部１０５、ＤＭ−ＲＳ設定部１０６、およびコントローラ１０７を有する。これらのすべてのブロック１０１〜１０６は、コントローラ１０７に接続される。ＣＲＭＳ・ＣＭＳ判定部１０１は、ＵＥが報告したＲＳＲＰに基づいて、それぞれどのポイントがＣＲＭＳおよびＣＭＳに含まれるかの判定を担当する。ＲＳ設定部１０２では、ＣｏＭＰ協働セット内の各ＵＥに対して、チャネル推定およびデータ復調のために、ＣＳＩ−ＲＳおよびＤＭ−ＲＳがそれぞれ設定される。リソース割当て部１０３は、ＵＥのＣＳＩフィードバックに基づいて、ＵＥに各ポイントに対するそれぞれのリソースブロックを割り当てるために使用される。ＰＱＬ設定部１０４は、ＣｏＭＰ候補ＵＥに対するいくつかの状態を設定し、準コロケーション情報に基づいてＰＤＳＣＨリソース要素のレート整合およびチャネル推定を正しく実施するために使用される。
【００３９】
ＤＭ−ＲＳ設定部１０６は、ＤＭ−ＲＳを設定する。これは、ＵＥ側でデータ復調のためのプリコード化チャネルを推定するために、データ信号と同様にプリコード化される。図１０に示したシステムは、次のような２種類のＤＭ−ＲＳ設定を使用することができる。
１）従来のＤＭ−ＲＳ設定。これは、スクランブリングシーケンスの初期値設定ならびにポートおよびリソース要素の設定からなる。
２）新規のＤＭ−ＲＳ設定。これは、スクランブリングシーケンスの初期値設定、ポートおよびリソース要素の設定、ならびにパワーブースティング設定からなる。
【００４０】
新規のＤＭ−ＲＳ設定は、第１の例示的実施形態によるスケジューラ１００ａの場合に使用される。従来のＤＭ−ＲＳ設定は、第２の例示的実施形態によるスケジューラ１００ｂの場合に使用される。
【００４１】
設定されたＲＳおよびＰＱＬの状態ならびにスケジューリング結果は、Ｍａｃｒｏ  ｅＮＢ１０のバックホール送受信部１０８から各ＬＰＮのバックホール送受信部２０１へ、対応するバックホールリンクを通じて送信される。ターゲットＵＥ３０のサービングポイントＬＰＮ０では、データ信号および基準信号（ＲＳ）がデータ生成部２０２およびＲＳ生成部２０３によってそれぞれ生成され、ＲＦ送受信部２０４からＵＥ３０へ送信される。
【００４２】
ＵＥ３０は、ＲＦ送受信部３０１、チャネル測定・フィードバックコントローラ３０２、干渉抑制（ＩＳ）／消去（ＩＣ）機能を有する高度受信器３０３、および干渉チャネル測定部３０４からなる。各送信ポイントとＵＥ３０との間の信号チャネル行列は、ＲＦ送受信部３０１で受信されたＲＳに基づいて、チャネル測定・フィードバックコントローラ３０２によって推定される。一方、干渉チャネル測定部３０４によって支援された高度受信器３０３では、推定チャネル行列を使用することによりデータが受信される。
【００４３】
図１１Ａを参照すると、ＩＳ付き高度受信器３０３ａは、ＲＦ送受信部３０１で周波数領域信号Ｙを受信し、次式（１）に従ってＭＭＳＥ−ＩＲＣ重みＷｓＭＭＳＥ−ＩＲＣを使用することにより推定される信号データＸ〜ｓを出力する。
【００４４】
【数１】
2016509761.tif 000003
【００４５】
ただし、σＮ＋Ｉ′２は、干渉ポイントからの干渉以外の、雑音および干渉の平均値である。式（１）において、Ｈ〜Ｉは、干渉ポイントのプリコード化チャネルであり、Ｈ〜ｓは、信号送信ポイントのプリコード化チャネルである。実際に干渉ポイントのプリコード化チャネルＨ〜Ｉを推定するためには、ＭＭＳＥ−ＩＲＣ受信器３０３ａは、干渉ポイントに対する基準信号の情報を必要とする。
【００４６】
図１１Ｂを参照すると、ＩＣ付き高度受信器３０３ｂは、干渉データのレプリカＸ〜Ｉ−ｒｅｐｌｉｃａを生成し、以下の手順によって推定される干渉消去信号データＸ〜＾ｓを出力する。
【００４７】
まず、干渉チャネル測定部３０４は、ＤＭ−ＲＳ設定に基づいて、干渉ポイントの干渉チャネル行列をＨ〜Ｉとして推定する。上記と同じ方法を用いて、信号データＸ〜ｓが、式（１）に従ってＭＭＳＥ−ＩＲＣ重みＷｓＭＭＳＥ−ＩＲＣを使用することにより推定される。
【００４８】
次に、次式（２）に従ってＭＭＳＥ重みを使用することにより干渉データをまず推定する。
【００４９】
【数２】
2016509761.tif 000004
【００５０】
その後、干渉データＸ〜Ｉは、変調方式の知識とともに最尤検出（maximum likelihood detection, ＭＬＤ）を使用することにより検出可能である。そして、レプリカＸ〜Ｉ−ｒｅｐｌｉｃａが、同じ変調方式を用いた再変調により生成される。最後に、高度受信器３０３ｂは、次式（３）に従ってレプリカＸ〜Ｉ−ｒｅｐｌｉｃａを消去した後に信号データＸ〜＾ｓを推定する。
【００５１】
【数３】
2016509761.tif 000005
【００５２】
ただし、σＮ＋Ｉ′２は、干渉ポイントからの干渉以外の、雑音および干渉の平均値である。
【００５３】
第１および第２の例示的実施形態で説明したように、干渉チャネル測定部３０４は、ＤＭ−ＲＳ設定に基づいて干渉プリコード化チャネルの正確なチャネル推定を実行する。これにより、高度受信器３０３は確実にデータを受信することが可能となる。不正確なチャネル推定は、ＩＳ／ＩＣのない従来のＣｏＭＰパフォーマンスよりもさらにパフォーマンスを劣化させる可能性がある。
【００５４】
集中スケジューリングの場合、集中スケジューラ１００は、サービングポイントＬＰＮ０へバックホールリンクを通じて干渉ポイントの動的スケジューリング結果を送信し、ＩＳのための新たなＤＣＩシグナリングを判定すればよい。しかし、分散スケジューリングの場合、サービングポイントＬＰＮ０は、ＩＳのための動的スケジューリング結果の報告を起動または停止することを干渉ポイントに通知すべきである。
【００５５】
３．２）動作
図１２を参照すると、Ｍａｃｒｏ  ｅＮＢ１０において、ＲＳ生成部１０９がセル固有ＲＳ（ＣＲＳ）を生成し、ＲＦ送受信部１１１を通じてターゲットＵＥ３０へＣＲＳを送信する。同様に、ＬＰＮ０〜ＬＰＮ３のそれぞれにおいて、ＲＳ生成部２０３がセル固有ＲＳ（ＣＲＳ）を生成し、ＲＦ送受信部２０４を通じて送信する（動作Ｓ４０１）。
【００５６】
ＵＥ３０において、チャネル測定・フィードバックコントローラ３０２は、諸ポイント（Ｍａｃｒｏ  ｅＮＢ１０およびＬＰＮ０〜ＬＰＮ３）から受信されたＣＲＳのＲＳＲＰ測定を実行し（動作Ｓ４０２）、ＲＦ送受信部３０１を通じて、それら諸ポイントの推定［ＲＳＲＰ］を自己のサービングセルＬＰＮ０に報告する（動作Ｓ４０３）。フィードバック［ＲＳＲＰ］は、サービングセルＬＰＮ０からＭａｃｒｏ  ｅＮＢ１０の集中スケジューラ１００へ転送される（動作Ｓ４０４）。同様に、ＬＰＮ３は、他のＵＥからフィードバック［ＲＳＲＰ］を受信し、それらをＭａｃｒｏ  ｅＮＢ１０の集中スケジューラ１００へ転送する（動作Ｓ４０５）。
【００５７】
ＲＳＲＰ順位に基づいて、ＣＲＭＳ・ＣＭＳ判定部１０１は、ＵＥのＣＲＭＳおよびＣＭＳを判定する（動作Ｓ４０６）。ＲＳＲＰＬＰＮ０＞ＲＳＲＰＬＰＮ１＞ＲＳＲＰＬＰＮ２＞ＲＳＲＰＬＰＮ３＞ＲＳＲＰＭａｃｒｏと、ＲＳＲＰｓｅｒｖ−ＲＳＲＰｐｏｉｎｔ＜ＴＨＲＳＲＰとなる５個のポイントがＣＲＭＳ内に選択されたと仮定すると、５個のポイントのうち最大３個のポイントが、ＵＥのＣＭＳ内に選択されることが可能である。本実施例では、ターゲットＵＥ３０は、ＲＳＲＰＬＰＮ０＞ＲＳＲＰＬＰＮ１＞ＲＳＲＰＬＰＮ２となるＬＰＮ０（サービングポイント）、ＬＰＮ１およびＬＰＮ２のＣＭＳを有する。ＬＰＮ３およびＭａｃｒｏ  ｅＮＢ１０はＣＲＭＳに属するが、ＲＳＲＰＬＰＮ２＞ＲＳＲＰＬＰＮ３＞ＲＳＲＰＭａｃｒｏとなってＣＭＳの外部である。したがって、ターゲットＵＥ３０は、ＣｏＭＰ候補ＵＥとみなされる。
【００５８】
このようなＣｏＭＰ候補ＵＥに対して、ＲＳ設定部１０２における必要なＣＳＩプロセスの測定のために、複数のＮＺＰ−ＣＳＩ−ＲＳおよびＺＰ−ＣＳＩ−ＲＳが設定される。また、対応するポイントのＤＭ−ＲＳも、各ポイントに対するＤＭ−ＲＳスクランブリングシーケンスの２つの候補初期化値と、ポートおよびリソース要素の設定と、（前述のように第１の例示的実施形態の場合には）パワーブースティング設定とにより設定される。ＣＳＩ−ＲＳ設定およびＤＭ−ＲＳ設定は、Ｍａｃｒｏ  ｅＮＢ１０からバックホールリンクを通じてターゲットＵＥのＣＭＳ内の各ポイントへ送信される（動作Ｓ４０７，Ｓ４０８）。また、他のＵＥに対するＣＳＩ−ＲＳ設定およびＤＭ−ＲＳ設定は、Ｍａｃｒｏ  ｅＮＢ１０からバックホールリンクを通じて他のＵＥのＣＭＳ内の他のポイントへ送信される（動作Ｓ４０９，Ｓ４１０）。
【００５９】
さらに、Ｍａｃｒｏ  ｅＮＢ１０のＰＱＬ設定部１０４およびＩＳ／ＩＣ設定部１０５は、ＰＱＬおよびＩＳ／ＩＣの状態（ＰＱＬ／ＩＳ／ＩＣ）を設定し、バックホール送受信部１０７を通じてサービングセルＬＰＮ０へＰＱＬおよびＩＳ／ＩＣの設定を送信する（動作Ｓ４１１）。ＰＱＬおよびＩＳ／ＩＣ状態ならびに対応するＰＱＬインジケータ（PQL indicator, ＰＱＩ）（これは、ＰＱＬおよびＩＳ／ＩＣ状態をトリガするために使用される）の詳細は後述する。
【００６０】
サービングポイントＬＰＮ０は、半静的に（例えば１００ｍｓごとに）ＲＲＣシグナリングを通じて、ＣＳＩ−ＲＳおよびＤＭ−ＲＳの設定ならびにＰＱＬ／ＰＱＩおよびＩＳ／ＩＣの設定をターゲットＵＥ３０に通知することを担当する（動作Ｓ４１２〜Ｓ４１４）。
【００６１】
ＣＳＩ−ＲＳ設定に基づいて、ターゲットＵＥのＣＭＳ内の各ＬＰＮは、周期的に（例えば５ｍｓまたは１０ｍｓごとに）ＮＺＰ−ＣＳＩ−ＲＳを生成しＲＦ送受信部２０４を通じてターゲットＵＥ３０へ送信し、および／または、ＺＰ−ＣＳＩ−ＲＳのリソースをミューティングする。ＣＳＩ−ＲＳの知識を用いて、ＵＥ３０のチャネル測定・フィードバックコントローラ３０２は、信号および干渉の推定のためにＣＳＩを測定することができる（動作Ｓ４１５）。これにより、例えばランクインデックス（ＲＩ）、プリコーディング行列インデックス（precoding matrix index, ＰＭＩ）、チャネル品質インデックス（ＣＱＩ）によって表される短期のチャネル状態情報（ＣＳＩ）が計算され、ワイヤレスチャネル、例えばＰＵＣＣＨ（physical uplink control channel, 物理アップリンク制御チャネル）またはＰＵＳＣＨ（physical uplink shared channel, 物理アップリンク共有チャネル）を通じて自己のサービングポイントＬＰＮ０に報告される（動作Ｓ４１６）。
【００６２】
報告されたＣＳＩは、集中スケジューリングのために、サービングポイントＬＰＮ０からバックホールリンクを通じてＭａｃｒｏ  ｅＮＢ１０へ転送される（動作Ｓ４１７）。集中スケジューラ１００のリソース割当て部１０３は、ＣＭＳ内の各ポイントにおけるリソースブロックを動的に選択し、選択されたリソースブロックをターゲットＵＥ３０に割り当てる（動作Ｓ４１８）。選択されたポイント、割り当てられたリソースブロック、選択されたＭＣＳ（Modulation and Coding Set, 変調符号化セット）、ＤＭ−ＲＳスクランブリングシーケンスの選択された初期化値等の動的スケジューリング結果が、ＬＰＮ０〜ＬＰＮ３にそれぞれのバックホールリンクを通じて通知される（動作Ｓ４１９，Ｓ４２０）。
【００６３】
Ｍａｃｒｏ  ｅＮＢ１０から動的スケジューリング結果を受信すると、サービングセルＬＰＮ０は、制御チャネル（例えばＰＤＣＣＨ（physical downlink control channel, 物理ダウンリンク制御チャネル）またはＥＰＤＣＣＨ（enhanced PDCCH））を通じて、ダウンリンク制御情報（downlink control information, ＤＣＩ）（例えばＤＣＩフォーマット２Ｄまたは新たに定義されたＤＣＩフォーマット）におけるＰＱＩにより示された対応するＰＱＬ／ＩＳＩＣ状態をＵＥ３０に通知する（動作Ｓ４２１）。図１０に示した本実施例では、ＬＰＮ０およびＬＰＮ１は両方とも、ＰＤＳＣＨ（physical downlink shared channel, 物理ダウンリンク共有チャネル）を通じてターゲットＵＥ３０のデータを同期ジョイント送信するために選択される。図１３に示したように、対応するＰＱＬ／ＩＳＩＣ状態（例えばＰＱＬ状態３およびＩＳ／ＩＣ状態２）は、制御チャネルを通じてＤＣＩにおけるＰＱＩ「１１」により示される。このほか、ターゲットＵＥ３０に対する他のスケジューリング結果（例えばＭＣＳ、割り当てられたリソースブロックおよび動的に選択されたＤＭ−ＲＳ初期化値）も、ＰＤＳＣＨ受信のためにＤＣＩにおいて動的に示される。
【００６４】
これにより、高度受信器３０３は、ＰＱＬ状態によりＪＴポイント（ＬＰＮ０およびＬＰＮ１）からＰＤＳＣＨ上でデータを受信することができる。その一方、ＩＳ／ＩＣ状態に従ってＩＳ／ＩＣのために選択されたポイント（ＣＭＳ内部のＬＰＮ２またはＣＭＳ外部のＬＰＮ３）からの干渉を抑制／消去する。これは、ＩＳ／ＩＣ状態において示されたＤＭ−ＲＳ設定に基づいて、干渉チャネル測定部３０４によって正確に推定される。また、干渉チャネル測定部３０４は、ＰＱＬ／ＩＳＩＣ状態に示されたＣＲＳおよびＮＺＰ−ＣＳＩ−ＲＳ設定を使用することにより、干渉ポイントからの非プリコード化チャネルをさらに推定することができる（動作Ｓ４２２）。
【００６５】
上記のように、設定されたＩＳ／ＩＣ情報を取得するために新たなＲＲＣシグナリングおよびＤＣＩシグナリングを使用することにより、ネットワーク支援ＩＳ／ＩＣは、高度受信器３０３および干渉チャネル測定部３０４を備えた受信器側で実施される。
【００６６】
以下、ＵＥのＣＭＳの内部の干渉ポイントおよびＵＥのＣＭＳの外部の干渉ポイントの場合の動的ＩＳ／ＩＣ動作について、より詳細に説明する。
【００６７】
３．３）ＣＭＳ内部のポイントからの干渉の抑制
上記のように、ＣｏＭＰ候補ＵＥのＰＤＳＣＨデータの正確なチャネル推定および受信のため、ＰＱＬ設定部１０４でいくつかの状態を設定することにより、選択される可能性のある送信ポイントに対するＱＣＬ情報に基づいてＰＤＳＣＨリソース要素のレート整合およびチャネル推定を正確に実施する。ＬＴＥリリース１１では、最大３ポイントのＣＭＳにおける動的ポイント選択をサポートするために４個の状態が要求される。これに対応して、ＤＣＩ（例えばＤＣＩフォーマット２Ｄ）では、４個のＰＱＬ状態のうちの１つを動的に示すために２ビットのＰＱＩが要求される。４個のＰＱＬ状態は、図１３Ａに示したテーブルＩとして新たに定義されている。図１１Ａを参照すると、Ｒｅｌ．１１におけるそれぞれのＰＱＬ状態は、選択されたＴＰのセルＩＤ、ＣＲＳのポート番号、ＰＤＳＣＨレート整合のためのゼロパワーＣＳＩ−ＲＳ、準コロケーションのためのＮＺＰ  ＣＳＩ−ＲＳの情報を含む。例えば、ターゲットＵＥが、ＲＳＲＰＬＰＮ０＞ＲＳＲＰＬＰＮ０＞ＲＳＲＰＬＰＮ２となるＬＰＮ０（サービングポイント）、ＬＰＮ１およびＬＰＮ２のＣＭＳを有すると仮定すると、ＰＱＬ状態ｉ（ｉ＝０，１，２）は、ＬＰＮｉが選択されたＴＰであると仮定して設定され、ＰＱＬ状態３は、ＪＴの場合（例えば、ＬＰＮ０およびＬＰＮ１が両方ともジョイント送信のために選択された）に対して設定される。
【００６８】
前述のように、ＣＭＳ内部のポイントからの干渉を抑制／消去するためには新たなＲＲＣシグナリングが必要である。ＲＲＣシグナリングオーバーヘッドを削減するため、利用可能な４個のＰＱＬ状態および２個のＰＱＩビットが、ＩＳのための情報を追加することによって再利用される。ＩＳのためには、ＣＲＳおよびＮＺＰ−ＣＳＩ−ＲＳのほかにＤＭ−ＲＳの情報も要求される。ＰＱＬ／ＩＳ状態を生成するため、ＬＰＮｉに対するＤＭ−ＲＳ設定がＰＱＬ状態ｉ（ｉ＝０，１，２）に追加される。これは、ＤＭ−ＲＳポート番号、周波数シフト、および、ＤＭ−ＲＳスクランブリングシーケンスの２個の候補初期化値を含む。図１３ＡのテーブルＩに例示したように、ＬＰＮｉがターゲットＵＥに対する選択されたＴＰまたは選択されたＩＳポイントであると仮定して、合成したＰＱＬ／ＩＳ状態ｉ（ｉ＝０，１，２）が設定される。これにより、４個の状態０〜３のうちの１つを選択することによって、選択されたＣｏＭＰ方式のためのポイントまたはＩＳのための干渉ポイントを決定することができる。
【００６９】
選択されたＴＰを示すために従来使用されているＰＱＩは、図１３ＢのテーブルＩＩのように新たに定義され、動的に選択されたポイントに対するＰＱＬ状態と、動的に選択された干渉ポイントに対するＩＳ状態とを同時に示す。ここで、ＣＭＳ内部の非選択ＴＰのうちで最強のＲＳＲＰを有する非選択ポイントが、高度受信器３０３におけるＩＳのためのポイントとして選ばれる。例えば、ＲＳＲＰＬＰＮ０＞ＲＳＲＰＬＰＮ１＞ＲＳＲＰＬＰＮ２を考慮すると、ＰＱＩ「００」におけるＰＱＬ状態＝状態０は、ＬＰＮ０がＴＰとして選択されることを示し、ＰＱＩ「００」におけるＩＳ状態＝状態１は、ＬＰＮ１からの干渉がＩＳのために選択されることを表す。ＰＱＩ＝「１１」の場合、図１０に示すジョイント送信のためにＬＰＮ０およびＬＰＮ１が両方とも選択されることを示すために、ＰＱＬ状態３がトリガされる。一方、ＩＳ状態＝状態２が同時にトリガされ、テーブルＩにおけるＬＰＮ２の情報を干渉ポイントとして示す。
【００７０】
ＰＱＬおよびＩＳに対する情報を含む新たに定義されたＰＱＬ状態および新たに定義されたＰＱＩテーブルは、まず、Ｍａｃｒｏ  ｅＮＢ１０からバックホールリンクを通じてサービングポイントＬＰＮ０へ転送された後、ＰＤＳＣＨで半静的に（例えば１００ｍｓごとに）、ＬＰＮ０からＲＲＣシグナリングを通じてターゲットＵＥ３０へ送信される。
【００７１】
ＵＥ３０の干渉チャネル測定部３０４は、新たに定義されたＰＱＬ／ＩＳ状態を用いて、ＣＲＳおよびＮＺＰ−ＣＳＩ−ＲＳ設定を使用することにより干渉ポイントからの非プリコード化チャネルを推定することが可能であり、また、ＤＭ−ＲＳ設定を使用することにより干渉ポイントからのプリコード化チャネルを推定することが可能である。
【００７２】
他方、ＤＭ−ＲＳスクランブリングシーケンスの初期化値は、ターゲットＵＥ３０に割り当てられた諸リソースブロックグループ（resource block group, ＲＢＧ）上の諸干渉ＵＥに対して動的に選択されることが可能である。したがって、諸干渉ＵＥに対するＤＭ−ＲＳスクランブリングシーケンスの動的に選択された初期化値を示すために、図１４Ａに示したテーブルＩＩＩにおけるＲＢＧごとのＤＭ−ＲＳインジケータの新たなビットがＤＣＩに必要とされる場合がある。ＤＭ−ＲＳスクランブリングシーケンスの既定値はセルＩＤであり、これはＳＵ−ＭＩＭＯ対応のほとんどのＵＥや、ＣｏＭＰなしのＵＥによって使用されるので、ＤＭ−ＲＳインジケータビットは、このようなＵＥからの干渉を抑制または消去するためには不要である。さらなるオーバーヘッド低減のため、ＲＢＧごとのＤＭ−ＲＳインジケータをＤＣＩに追加しないことも可能である。
【００７３】
さらに、ＩＳのために最も強い１つまたは２つのレイヤをＵＥに通知するため、図１４Ｂに示したテーブルＩＶにおけるレイヤインジケータとして定義されるもう１つのビットが、ＲＢＧごとのＤＣＩに要求される場合がある。送信器では２個よりも多くのレイヤがプリコード化される可能性があるが、ここでは最も強い２つのレイヤがＩＳのために選択されることにより、新たに定義されたＤＣＩにおける最小限の追加ビットで最大の利得を達成する。これにより、過大なパフォーマンス損失なしに、ＤＣＩのオーバーヘッドが低減される。デフォルトで干渉チャネルの最強レイヤを検出することにより、レイヤインジケータなしでさらなるオーバーヘッド低減も可能である。
【００７４】
新たなＲＲＣシグナリング（例えばＰＱＬ／ＩＳ状態およびＰＱＩテーブル（図１３参照））と、新たなＤＣＩシグナリング（例えばＤＭ−ＲＳインジケータおよびレイヤインジケータ（図１４参照））のネットワーク支援により、ＵＥ３０は、ＬＰＮ２からの干渉チャネルを推定し、高度受信器３０３で干渉抑圧合成を伴うＭＭＳＥ（ＭＭＳＥ−ＩＲＣ）を使用することにより、ＣＭＳ内部の干渉を抑制することができる。
【００７５】
ＬＰＮ２の干渉チャネル行列がＨ〜I＝Ｈ＾２として推定されると仮定すると、高度受信器３０３は、ＲＦ送受信部３０１で周波数領域信号Ｙを受信し、式（１）に従ってＭＭＳＥ−ＩＲＣ重みＷｓＭＭＳＥ−ＩＲＣを使用することにより推定される信号データＸ〜ｓを出力する。ただし、σＮ＋Ｉ′２は、ＬＰＮ２からの干渉以外の、雑音および干渉の平均値である。
【００７６】
３．４）ＣＭＳ外部のポイントからの干渉の抑制
ＲＳＲＰの順位に基づいて、ＣＭＰの外部でＲＳＲＰが最高のポイントがＩＳのために半静的に選択される。例えば、図１２に例示したＬＰＮ３である。このようなポイントに対して、ＣＲＳ、ＮＺＰ−ＣＳＩ−ＲＳ、およびＤＭ−ＲＳ等の設定を含むＬＰＮ３の情報を示すために、新たなＲＲＣシグナリングが必要である。前述のように、ＵＥ３０の干渉チャネル測定部３０４は、ＣＲＳおよびＮＺＰ−ＣＳＩ−ＲＳ設定を使用することにより干渉ポイントＬＰＮ３からの非プリコード化チャネルを推定することが可能であり、また、ＤＭ−ＲＳ設定を使用することにより干渉ポイントからのプリコード化チャネルを推定することが可能である。
【００７７】
ＬＰＮ３の干渉チャネル行列がＨ〜I＝Ｈ＾３として推定されると仮定すると、高度受信器３０３は、ＲＦ送受信部３０１で周波数領域信号Ｙを受信し、式（１）に従ってＭＭＳＥ−ＩＲＣ重みＷｓＭＭＳＥ−ＩＲＣを使用することにより推定される信号データＸ〜ｓを出力する。ただし、σＮ＋Ｉ′２は、ＬＰＮ３からの干渉以外の、雑音および干渉の平均値である。
【００７８】
３．５）ＣＭＳ内部のポイントからの干渉の消去
ＩＳの場合の３．３）で説明したＩＳ情報を使用することによる干渉チャネルの推定のほかに、ＣＭＳの内部のＬＰＮ２の干渉データをさらに消去するため、干渉データのレプリカ生成が要求される。したがって、ＩＳの場合の上記のシグナリングのほかに、動的な変調・符号化方式を示す新たなＤＣＩビットが、同じＲＢＧ上で割り当てられるさまざまな干渉ＵＥに対して要求される。例えば、ＲＢＧごとの変調インジケータの２個のＤＣＩビットが、図１５に示したテーブルＶに例示されている。変調方式の存在下で、受信される干渉を復調することが可能であり、変調された干渉データのレプリカを生成することが可能である。
【００７９】
まず、干渉チャネル測定部３０４は、ＬＰＮ２の干渉チャネル行列をＨ〜Ｉ＝Ｈ＾２として推定する。ＩＳの場合における方法を用いて、まず、式（１）に従ってＭＭＳＥ−ＩＲＣ重みを使用することにより信号データを推定することができる。ただし、σＮ＋Ｉ′２は、ＬＰＮ２からの干渉以外の、雑音および干渉の平均値である。
【００８０】
次に、式（２）に従ってＭＭＳＥ重みを使用することにより干渉データをまず推定する。
【００８１】
その後、干渉データＸ〜Ｉは、変調方式の知識とともに最尤検出（ＭＬＤ）を使用することにより検出可能である。そして、レプリカＸ〜Ｉ−ｒｅｐｌｉｃａが、同じ変調方式を用いた再変調により生成される。最後に、高度受信器３０３は、式（２）に従ってレプリカＸ〜Ｉ−ｒｅｐｌｉｃａを消去した後に信号データＸ〜＾ｓを推定する。
【００８２】
３．６）ＣＭＳ外部のポイントからの干渉の消去
上記のＩＳ情報を使用することによる干渉チャネルの推定のほかに、ＬＰＮ３の干渉データをさらに消去するため、干渉データのレプリカ生成が要求される。したがって、３．３）で説明した上記のＲＲＣおよびＤＣＩシグナリングのほかに、動的な変調・符号化方式を示す新たなＤＣＩビットが、同じＲＢＧ上で割り当てられるさまざまな干渉ＵＥに対して要求される。例えば、ＲＢＧごとの変調インジケータの２個のＤＣＩビットが、図１５に示したテーブルＶに例示されている。変調方式の存在下で、受信される干渉を復調することが可能であり、変調された干渉データのレプリカを生成することが可能である。
【００８３】
まず、干渉チャネル測定部３０４は、ＬＰＮ３の干渉チャネル行列をＨ〜Ｉ＝Ｈ＾３として推定する。第１の実施例の３．３）で説明した方法を用いて、まず、式（１）に従ってＭＭＳＥ−ＩＲＣ重みを使用することにより信号データを推定することができる。ただし、σＮ＋Ｉ′２は、ＬＰＮ３からの干渉以外の、雑音および干渉の平均値である。
【００８４】
次に、式（２）に従ってＭＭＳＥ重みを使用することにより干渉データをまず推定する。
【００８５】
その後、干渉データＸ〜Ｉは、変調方式の知識とともに最尤検出（ＭＬＤ）を使用することにより検出可能である。そして、レプリカＸ〜Ｉ−ｒｅｐｌｉｃａが、同じ変調方式を用いた再変調により生成される。最後に、高度受信器３０３は、式（３）に従ってレプリカＸ〜Ｉ−ｒｅｐｌｉｃａを消去した後に信号データＸ〜＾ｓを推定する。
【産業上の利用可能性】
【００８６】
本発明は、複数のＴＰ間での協調スケジューリングを用いたモバイル通信システムに適用可能である。
【図１】
2016509761.tif 000006
【図２】
2016509761.tif 000007
【図３】
2016509761.tif 000008
【図４】
2016509761.tif 000009
【図５】
2016509761.tif 000010
【図６】
2016509761.tif 000011
【図７】
2016509761.tif 000012
【図８】
2016509761.tif 000013
【図９】
2016509761.tif 000014
【図１０】
2016509761.tif 000015
【図１１】
2016509761.tif 000016
【図１２】
2016509761.tif 000017
【図１３】
2016509761.tif 000018
【図１４】
2016509761.tif 000019
【図１５】
2016509761.tif 000020
【国際調査報告】
2016509761.tif 000021